(57)【要約】【課題】  伸縮自在とした管主体であって、左右一対の吊り下げフック部の外側においても適宜数の洗濯物ハンガー等を吊り下げ使用できる構造とした物干し用補助竿の提供。【解決手段】  既設の二つの吊り具体の間に吊り下げて使用する補助物干し竿であって、大・小径の異なる管体１１，１２を二重管構造として長さ調節自在にした管主体１と、上部に下向きＵ字形のフック部２３，２４を備え、下部に前記大・小径管体１１，１２を摺動自在に貫通させる貫通穴２１，２２を備えた二つの吊り下げ用フック体２，２と、前記大・小径管体１１，１２に対して、嵌合穴３１，３２を介して摺動自在に嵌合させた複数の環状の位置規制駒３と、前記管主体１の長手方向両端部１３，１４に嵌着された管端養生体４，４とを備え、前記大・小径管体１１，１２の管端部１３，１４を前記吊り下げ用フック体２，２の外側に突出させた構成とする。【選択図】図１
0003180460.tif 000002
【実用新案登録請求の範囲】
【請求項１】
既設の二つの吊り具体の間に吊り下げて使用する補助物干し竿であって、
大・小径の異なる管体(11，12)を二重管構造として長さ調節自在にした管主体(1)と、
上部に下向きＵ字形のフック部(23，24)を備え、下部に前記大・小径管体(11，12)を摺動自在に貫通させる貫通穴(21，22)を備えた二つの吊り下げ用フック体(2，2)と、
前記大・小径管体(11，12)に対して、嵌合穴(31，32)を介して摺動自在に嵌合させた複数の環状の位置規制駒(3)と、
前記管主体(1)の長手方向両端部(13，14)に嵌着された管端養生体(4，4)と、
を備え、かつ、
前記大・小径管体(11，12)の管端部(13，14)を前記吊り下げ用フック体(2，2)の外側に突出させてある物干し用補助竿。
【請求項２】
位置規制駒(3)が、周壁(33，34)にノッチ(35，35)を備えた形状としてある請求項１に記載の物干し用補助竿。
【考案の詳細な説明】
【技術分野】
【０００１】
本考案は、建物の洗濯物干し場に設置されている平行する二本の物干し竿の間に交差状に架け渡して吊り下げたり、物干し竿を吊り下げる二つの竿受けと竿受けとの間に吊り下げたり、竿受けと壁面近くのロープ等との間や、室内にあってはカーテンレールと家具の天板との間など、適宜の二つの吊り具体の間に吊り下げて使用することができ、洗濯物や衣類ハンガーの物干しやハンガー掛けとしても使用することができる物干し用補助竿に関するものである。
【０００２】
より具体的には、本考案にいう物干し用補助竿は、竿全体の長さを伸縮調節し、吊り下げ用フックどうしの間隔を広狭調節して適宜の長さにして、洗濯物干し竿として使用する場合には、現在通常使用している二本の物干し竿の間に交差するようにして、吊り下げ用フックどうしの間隔を広狭調節して吊り下げて使用すればよい。また、室内においては衣類ハンガーを吊しておくための補助竿として使用することができるものである。
【背景技術】
【０００３】
従来から、既設の二本の洗濯用物干し竿に対して、吊り下げ用フック部を係止させて物干し竿間に交差状に架け渡して使用するようにした洗濯物干し竿用の補助ポールは、次の特許文献１にみられるように公知になっている。
【先行技術文献】
【特許文献】
【０００４】
【特許文献１】実用新案登録第３１７５４２１号公報
【考案の概要】
【考案が解決しようとする課題】
【０００５】
この特許文献１に記載の物干し竿補助ポールは、同特許文献の図１にみられるように、二本の洗濯用物干し竿に対して、左右の吊り下げ用フック部を係止させて、物干し竿間に交差状に架け渡して使用するようにした洗濯物干し竿用の補助ポールである。
【０００６】
この特許文献１に記載の物干し竿補助ポールは、同図１にみられるように、洗濯物干し竿に吊り下げるフック部の下方に、該フック部とは別のフック部を正面視Ｓ字形となるように連接形成してあり、伸縮ポールの長手方向の終端は、吊り下げフック部の内部に止めてある構造としてある。
【０００７】
したがって、該先行文献記載の物干し竿補助ポールは、伸縮ポール部上と、吊り下げフック部の下方に連接形成してある補助フック部とに、洗濯物ハンガーを係止して干すことができるものではあるが、両端の補助フック部の外側には、洗濯物ハンガーを吊すこと、即ち干すことができないので、物干し量が限定され、多数の洗濯物ハンガーを効率的に干すことができないという課題を有するものとなっている。
【０００８】
そこで、本考案の第１の目的は、該先行文献記載の物干し竿補助ポールが有している、二つの吊り下げフック部の間にしか洗濯物ハンガーを吊り下げることができないという、技術的制約を排除して、伸縮自在とした一本の管主体でありながら、左右一対の吊り下げフック部の外側においても適宜数の洗濯物ハンガー等を吊り下げて使用することができる構造とした物干し用補助竿を提供しようとするものである。
【０００９】
また、本考案の第２の目的は、伸縮調節可能とした管主体を構成する管体に対して洗濯物ハンガーを吊したとき、風等によってハンガーが容易に移動して、ハンガーどうしが接当して自然な乾燥を阻害することを回避できる手段を設けてあって、目的に応じて洗濯物の均一的な乾燥を可能とした物干し用補助竿を提案しようとするものである。  
【課題を解決するための手段】
【００１０】
これらの目的を達成するために講じた本考案にいう請求項１に記載の物干し用補助竿の構成は、実施例において使用した符号を用いて説明すると、既設の二つの吊り具体の間に吊り下げて使用する補助物干し竿であって、大・小径の異なる管体１１，１２を二重管構造として長さ調節自在にした管主体１と、上部に下向きＵ字形のフック部２３，２４を備え、下部に前記大・小径管体１１，１２を摺動自在に貫通させる貫通穴２１，２２を備えた二つの吊り下げ用フック体２，２と、前記大・小径管体１１，１２に対して、嵌合穴３１，３２を介して摺動自在に嵌合させた複数の環状の位置規制駒３と、前記管主体１の長手方向両端部１３，１４に嵌着された管端養生体４，４と、を備え、かつ、前記大・小径管体１１，１２の管端部１３，１４を前記吊り下げ用フック体２，２の外側に突出させてある構成としたものである。
【００１１】
請求項２に記載の物干し用補助竿の構成は、前記請求項１に記載の構成の全てを備えているものであって、当該位置規制駒３が、周壁３３，３４にノッチ３５，３５を備えた構成としたものである。
【００１２】
このような構成とした本考案にいう物干し用補助竿を実施するに当たっては、構成部材の全てを合成樹脂素材の成型品として実施することができるが、管主体１を構成する大小径の異なる管体１１，１２は、適度の耐荷強度を必要とし、双方の管径に大きな差のあるものは好ましくないので、径差を少なくすることが可能な、例えばアルミ管のような金属管が好ましい。また、耐荷強度と曲げ強度の増強手段の一つとして、長手方向に沿った凹凸リブを施してある管体とすることが好ましい。
【考案の効果】
【００１３】
以上のように、本考案の請求項１に記載の物干し用補助竿は、伸縮自在とした一本の管主体でありながら、左右一対の吊り下げフック部の外側に、二重管一方または両方を突出させておくことによって、この突出部にも適宜数の洗濯物ハンガー等を吊り下げて使用することができるので、多くのハンガーを吊り下げ使用できるという顕著な効果を有する。
【００１４】
請求項２に記載の物干し用補助竿は、管体に対して摺動自在に嵌合させた複数の環状駒の周壁にノッチを形成してあるので、管体に対する把持力を適宜に設定することができるものでありながら、管体上を摺動させる際にはノッチが開き気味となって、過度の力を必要とせずに摺動させることができるという利点を有する。
【図面の簡単な説明】
【００１５】
【図１】本考案の物干し用補助竿を示す一部切断正面図。
【図２】使用姿勢を示す正面図。
【図３】拡大部分正面図。
【図４】図３のＡ−Ａ断面図。
【図５】図３のＢ−Ｂ断面図。
【図６】吊り下げフックを示す別実施例の正面図。
【図７】図６のＣ−Ｃ断面図。
【考案を実施するための形態】
【００１６】
以下本考案にいう物干し用補助竿の主たる実施例について図面に基づいて説明する。
まず、該実施例の物干し用補助竿を図１及び２に示す。図２に例示したように、概略形状は、例えば平行する既設の二本の洗濯物干し竿６，６の間に吊り下げて使用する補助物干し竿であって、洗濯物を吊したハンガーを管主体１の適宜箇所に引っ掛けて乾燥させるように構成している。
【００１７】
洗濯物を吊したハンガーを引っ掛ける管主体１は、互いに嵌合させて長さ調節自在とした二重管構造となっており、図１，２において、右側を大径の管体１１とし、左側を小径の管体１２としてあり、これらを合成ゴム製の短筒状とした長さ固定筒５によって、適宜の長さに固定して使用するようにしてある。この管主体１を構成する左右の管体１１，１２は、アルミ管であって、長手方向に沿わせた凹凸リブを全周面に形成して強度保持させた管としてある。
【００１８】
これらの管体１１，１２は、左右二つの吊り下げ用フック体２，２の下部に形成した貫通穴２１，２２に貫通させ、それぞれの管端部１３，１４を、これらの吊り下げ用フック体２，２の外側まで突出するようにしてある。また、これらの吊り下げ用フック体２，２は上部をＣ字状に折り曲げて、下向きＵ字形のフック部２３，２４を備えた形状としてある。また、これらのフック部２３，２４の対向箇所には上向きに突出する外れ落ち防止用の突起２５，２６を突出させてある。このことによって、吊り下げ用フック体２が被吊り下げ体、この実施例では洗濯物干し竿６，６から外れて管主体１が容易に落下することを防止できるようにしてある。
【００１９】
前記大・小の管体１１，１２には、それぞれの管径に合わせた嵌合穴３１，３２を内面に形成した環状の複数の位置規制駒３，３…を、図１，２に示すように摺動自在に嵌合させてある。これらの位置規制駒３は、図１，２の実施例では、それぞれ三駒づつ嵌合させた状態を示している。また、ここに示した位置規制駒３は、それぞれの周壁３３，３４にノッチ３５，３５を形成してある。このノッチ３５，３５によって、移動時の管体１１，１２に対する着度が緩和され、移動させ易くしてある。
【００２０】
更に、管体１１，１２の長手方向両端部１３，１４の端面部には、管の端面保護と異物の陥入を防止するためのＴ字形に形成した管端養生体４，４をフランジ部分を当て付けて密着固定してある。
【００２１】
該実施例に示した前記吊り下げ用フック体２は、図３及び図４に示したように平板状の成形体として示したが、この吊り下げ用フック体２は、図６及び図７に別実施例として示したもののように、正面形状Ｃ字形の部分に溝を形成して素材の少量化と軽量化を図ったものとして実施することができるものである。
【００２２】
本考案にいう物干し用補助竿の大きさは、使用目的と使用の容易性の観点からみて、自ずと制限されるものであるが、該実施例に示した補助竿について敢えて数値表示すると、大径側のアルミ管の管径は１１−１３ｍｍ、小径側のアルミ管の管径は大径側のアルミ管に摺動容易に陥入できる大きさのもの、管主体１の全体長さは最小３８０ｍｍ、最大６２０ｍｍ程度のものとするのが取り扱い上好ましい。
【００２３】
以上本考案の代表的と思われる実施例について説明したが、本考案は必ずしも上記実施例に示した構造のみに限定されるものではなく、本考案にいう前記の構成要件を備えていて、かつ、本考案にいう目的を達成し、上記の効果を有する範囲内において適宜改変して実施することができるものである。
【産業上の利用可能性】
【００２４】
本考案にいうところの物干し用補助竿は、物干し竿の補助竿としてのみならず、室内においても適宜に使用することができるものであるから、市場に提供すると大いに歓迎され重宝に使用されるものと期待されるものである。
【符号の説明】
【００２５】
１  管本体
１１  大径管体
１２  小径管体
１３  管端部
１４  管端部
２  吊り下げ用フック体
２１  貫通穴
２２  貫通穴
２３  フック部
２４  フック部
３  位置規制駒
４  管端養生体
３３  周壁
３４  周壁
３５  ノッチ
【図１】
0003180460.tif 000003
【図２】
0003180460.tif 000004
【図３】
0003180460.tif 000005
【図４】
0003180460.tif 000006
【図５】
0003180460.tif 000007
【図６】
0003180460.tif 000008
【図７】
0003180460.tif 000009